(57)【要約】【課題】非自走高所作業時における車両の制動を確実にするとともに、ジャッキ動作時の移動用車輪のタイヤ損傷等を防止することのできる高所作業車を提供する。【解決手段】本発明の高所作業車は、作業用設備が設けられた車両と、車両の各車輪近傍に設けられ車両を支持する前輪側及び後輪側ジャッキ部と、前輪側及び後輪側移動用車輪と、前輪側及び後輪側移動用車輪を制動する各ブレーキ部と、各ブレーキ部による前記前輪側及び後輪側移動用車輪の制動と前輪側及び後輪側ジャッキ部の張り出し動作及び格納動作とを制御する制御部と、を備え、張り出し動作の際には、前輪側ジャッキ部を先に張り出し、格納動作の際には、後輪側ジャッキ部を先に格納する高所作業車であって、各ブレーキ部は、制動解除のない限り前輪側及び後輪側移動用車輪を制動し続け、制御部は、張り出し動作及び格納動作の際には、後輪側移動用車輪のみ制動を解除して回転自在とする。【選択図】      図４
2015086050.tif 000002
【特許請求の範囲】
【請求項１】
作業用設備が設けられた走行可能な車両と、前記車両の各車輪近傍に設けられ、張り出した際に下端部を接地させて前記車両を浮き上がらせた状態で支持する前輪側及び後輪側ジャッキ部と、前記前輪側及び後輪側ジャッキ部の各下端部に設けられる前輪側及び後輪側移動用車輪と、前記前輪側及び後輪側移動用車輪を制動する各ブレーキ部と、前記各ブレーキ部による前記前輪側及び後輪側移動用車輪の制動と前記前輪側及び後輪側ジャッキ部の張り出し動作及び格納動作とを制御する制御部と、を備え、前記張り出し動作の際には、前記前輪側ジャッキ部を先に張り出し、前記格納動作の際には、後輪側ジャッキ部を先に格納する高所作業車であって、
前記各ブレーキ部は、制動解除のない限り前記前輪側及び後輪側移動用車輪を制動し続け、
前記制御部は、前記張り出し動作及び格納動作の際には、前記後輪側移動用車輪のみ制動を解除して回転自在とすることを特徴とする高所作業車。
【請求項２】
前記前輪側移動用車輪を駆動する駆動部をさらに備え、
前記制御部は、
前記駆動部による前記前輪側移動用車輪の駆動をも制御し、
前記前輪側及び後輪側移動用車輪による走行を行う際には、前記前輪側及び後輪側ジャッキ部を張り出した状態で、前記前輪側及び後輪側移動用車輪の制動を解除するとともに、前記前輪側移動用車輪を駆動し、
前記前輪側及び後輪側移動用車輪による走行を終了して停止する際には、前記前輪側移動用車輪の駆動と前記前輪側及び後輪側移動用車輪の制動解除とを停止することを特徴とする請求項１に記載の高所作業車。
【発明の詳細な説明】
【技術分野】
【０００１】
本発明は、高所作業車に係り、より詳細には、高所作業時に車両を支持するジャッキを有する高所作業車に関する。
【背景技術】
【０００２】
車両の前輪及び後輪付近にそれぞれジャッキを備えた高所作業車が知られている。この高所作業車では、高所作業の際に、各ジャッキを張り出して、その下端部を接地させて車両を浮き上がらせた状態で支持する。これにより、高所作業の際に車両を安定して支持することができる。また、高所作業を終了した際は、各ジャッキを収縮させて格納する。このジャッキ動作の際（ジャッキの張り出し動作及び格納動作）、車両の逸走防止を図るため、前輪側のジャッキ及び後輪側のジャッキを順次張り出し又は格納する必要があり、これを自動化する構造が特許文献１に記載されている。
【０００３】
また、図８に記載されるような高所作業車８００も知られている。この高所作業車８００は、車両８１０の前輪及び後輪付近にそれぞれ設けられたジャッキ８２１、８３１の下端部に、各移動用車輪８２２、８３２を有する。この高所作業車８００についても、各ジャッキ８２１、８３１を張り出して、下端部を接地（各移動用車輪８２２、８３２を接地）させて車両８１０を浮き上がらせた状態で支持し、車両を安定させた状態で高所作業を行う（以下、移動用車輪による移動を伴わない高所作業を「非自走高所作業」という）。さらに、高所作業車８００の場合は、この状態から各移動用車輪８２２、８３２を駆動及び操舵することにより、各移動用車輪８２２、８３２による走行を行い、移動しながら高所作業を行なうことができる（以下、移動用車輪による移動を伴う高所作業を「自走高所作業」という）。
【０００４】
このような各移動用車輪８２２、８３２を備える高所作業車８００では、ジャッキ動作（ジャッキの張り出し動作及び格納動作）時における車両逸走防止のため前輪側及び後輪側の移動用車輪にブレーキ装置（図示せず）が備えられる。そして、ジャッキ動作の際には、前輪側及び後輪側の移動用車輪８２２、８３２すべてを制動した上で、特許文献１記載の高所作業車のように、前輪側のジャッキ８２１及び後輪側のジャッキ８３１を順次張り出し又は格納することが行われている。（なお、符号８１１はトラックキャビン、符号８１２はトラックシャシフレーム、符号８１３は車輪、符号８１４はサブフレーム、符号８１５は昇降装置、符号８１６は作業台である。）
【０００５】
しかし、特許文献１に記載されるような高所作業車では、ジャッキの張り出し時には、前輪側のジャッキを張り出した後で、後輪側のジャッキを張り出すため、後輪側のジャッキの下端部が路面上で引きずられて、路面を傷つけるという問題があった。
【０００６】
また、高所作業車８００のように、ジャッキの下端部に移動用車輪を有する高所作業車についても、前輪側のジャッキを張り出した後で、後輪側のジャッキを張り出す際に、制動された後輪側の移動用車輪が路面上で引きずられて、移動用車輪の履いているタイヤが損傷するという問題があった。一方、後輪側の移動用車輪を制動するブレーキ装置がない場合には、移動用車輪が路面上で引きずられるという恐れはないものの、非自走高所作業時における車両の制動が不確実になるという恐れがあった。
【先行技術文献】
【特許文献】
【０００７】
【特許文献１】特開平１１−２４６１７７号公報
【発明の概要】
【発明が解決しようとする課題】
【０００８】
本発明は、上記の問題を鑑みてなされたものであり、非自走高所作業時における車両の制動を確実にするとともに、ジャッキ動作時の移動用車輪のタイヤ損傷等を防止することのできる高所作業車を提供することを目的とする。
【課題を解決するための手段】
【０００９】
本発明の高所作業車は、作業用設備が設けられた走行可能な車両と、前記車両の各車輪近傍に設けられ、張り出した際に下端部を接地させて前記車両を浮き上がらせた状態で支持する前輪側及び後輪側ジャッキ部と、前記前輪側及び後輪側ジャッキ部の各下端部に設けられる前輪側及び後輪側移動用車輪と、前記前輪側及び後輪側移動用車輪を制動する各ブレーキ部と、前記各ブレーキ部による前記前輪側及び後輪側移動用車輪の制動と前記前輪側及び後輪側ジャッキ部の張り出し動作及び格納動作とを制御する制御部と、を備え、前記張り出し動作の際には、前記前輪側ジャッキ部を先に張り出し、前記格納動作の際には、後輪側ジャッキ部を先に格納する高所作業車であって、前記各ブレーキ部は、制動解除のない限り前記前輪側及び後輪側移動用車輪を制動し続け、前記制御部は、前記張り出し動作及び格納動作の際には、前記後輪側移動用車輪のみ制動を解除して回転自在とすることを特徴とする。
【００１０】
また、本発明の高所作業車は、前記前輪側移動用車輪を駆動する駆動部をさらに備え、前記制御部は、前記駆動部による前記前輪側移動用車輪の駆動をも制御し、前記前輪側及び後輪側移動用車輪による走行を行う際には、前記前輪側及び後輪側ジャッキ部を張り出した状態で、前記前輪側及び後輪側移動用車輪の制動を解除するとともに、前記前輪側移動用車輪を駆動し、前記前輪側及び後輪側移動用車輪による走行を終了して停止する際には、前記前輪側移動用車輪の駆動と前記前輪側及び後輪側移動用車輪の制動解除とを停止するよう構成することもできる。
【発明の効果】
【００１１】
このように、本発明の高所作業車は、制動解除のない限り前輪側及び後輪側移動用車輪を制動し続けるため、非自走高所作業時には、前輪側及び後輪側移動用車輪の全てが制動される。また、ジャッキ動作（張り出し動作及び格納動作）の際に、後輪側移動用車輪を制動する各ブレーキ部による制動を解除して、後輪側移動用車輪を回転自在とすることにより、後輪側移動用車輪が路面上を回転する。その結果、非自走高所作業時における車両の制動を確実にすることができるとともに、ジャッキ動作時の移動用車輪のタイヤ損傷を防止することができる。
【図面の簡単な説明】
【００１２】
【図１】本発明の一実施形態である高所作業車１００の側面図。
【図２】本発明の一実施形態である高所作業車１００の制御系統の概念図。
【図３】本発明の一実施形態である高所作業車１００の動作説明図。
【図４】本発明の一実施形態である高所作業車１００の動作説明図。
【図５】本発明の一実施形態である高所作業車１００の動作説明図。
【図６】本発明の一実施形態である高所作業車１００の動作説明図。
【図７】本発明の一実施形態である高所作業車１００の動作説明図。
【図８】従来の高所作業車８００の側面図。
【発明を実施するための形態】
【００１３】
図１〜図７を参照して、本発明の一実施形態である高所作業車１００について説明する。図１は本発明の一実施形態である高所作業車１００の側面図であり、図２は本発明の一実施形態である高所作業車１００の制御系統の概念図であり、図３〜図７は本発明の一実施形態である高所作業車１００の動作説明図である。
【００１４】
図１及び図２を参照すると、本発明の一実施形態である高所作業車１００は、作業用設備が設けられた走行可能な車両１１０と、前輪側及び後輪側ジャッキ部１２０、１３０と、前輪側及び後輪側移動用車輪１２２、１３２と、各ブレーキ装置内蔵モータ１４１と、各ブレーキ装置１４２と、制御部１５０と、移動操作レバー１６１と、ジャッキ操作スイッチ１６２とを有している。
【００１５】
作業用設備が設けられた走行可能な車両１１０は、運転席を有するトラックキャビン１１１、トラックシャシフレーム１１２、走行用の各車輪１１３、トラックシャシフレームに取り付けられるサブフレーム１１４、サブフレームに設置される昇降装置１１５、及び昇降装置に取り付けられる作業台１１６を有する。昇降装置１１５は、高所作業（非自走高所作業及び自走高所作業）を行う際に昇降して、作業台１１６を所望の高さに位置させる。また、作業台１１６には、前輪側及び後輪側移動用車輪１２２、１３２の駆動及び操舵等の操作を行う移動操作レバー１６１が設けられる。さらに、サブフレーム１１４には、前輪側及び後輪側ジャッキ部１２０、１３０のジャッキ動作（張り出し動作及び格納動作）を行うためのジャッキ操作スイッチ１６２が設けられる。
【００１６】
前輪側及び後輪側ジャッキ部１２０、１３０は、張り出し（伸長）及び格納（収縮）機能を有する。そして、張り出した際には、その下端部を接地させて車両１１０を浮き上がらせた状態で支持するものである。この前輪側及び後輪側ジャッキ部１２０、１３０は、前輪側及び後輪側アウトリガジャッキ１２１、１３１と、前輪側及び後輪側ジャッキシリンダ１２１（ａ）、１３１（ａ）と、前輪側及び後輪側移動用車輪１２２、１３２とを有する。前輪側及び後輪側ジャッキシリンダ１２１（ａ）、１３１（ａ）は、前輪側及び後輪側アウトリガジャッキ１２１、１３１の張り出し（伸長）及び格納（収縮）を行う。前輪側及び後輪側アウトリガジャッキ１２１、１３１を張り出し、その下端に設けられた前輪側及び後輪側移動用車輪１２２、１３２を接地させることで、車両１１０を浮き上がらせて支持することができる。また、車両を浮き上がらせて支持している状態から、前輪側及び後輪側アウトリガジャッキ１２１、１３１を格納することで、車両１１０の車輪１１３を接地させることができる。
【００１７】
また、前輪側及び後輪側移動用車輪１２２、１３２は、図示のようにタイヤを履いた状態で、前輪側及び後輪側アウトリガジャッキ１２１、１３１の下端に設けられるものである。この前輪側及び後輪側移動用車輪１２２、１３２は、制動を加えていない状態で回転自在であり、路面上で回転することができる。
【００１８】
各ブレーキ装置内蔵モータ１４１及び各ブレーキ装置１４２は、移動用車輪を制動するものである。このうち、各ブレーキ装置内蔵モータ１４１は、前輪側移動用車輪１２２を制動し、各ブレーキ装置１４２は、後輪側移動用車輪１３２を制動する。これら各ブレーキ装置内蔵モータ１４１及び各ブレーキ装置１４２は、いわゆるネガティブブレーキとして構成され、制動解除のない限り、前輪側及び後輪側移動用車輪１２２、１３２を制動し続ける。そのため、制動解除を行わない非自走高所作業時において、制動された前輪側及び後輪側移動用車輪１２２、１３２より、車両１１０の制動を確実にすることができる。
【００１９】
また、各ブレーキ装置内蔵モータ１４１は、前輪側移動用車輪１２２を制動するブレーキ機能を有するとともに、（制動を解除して）モータを駆動することで前輪側移動用車輪１２２を回転駆動する駆動機能を有する。そのため、前輪側及び後輪側アウトリガジャッキ１２１、１３１を張り出して、車両１１０を浮き上がらせた状態で支持したときに、前輪側及び後輪側移動用車輪１２２、１３２に対する制動を解除し、各ブレーキ装置内蔵モータ１４１により、前輪側移動用車輪１２２を回転駆動することで、前輪側及び後輪側移動用車輪１２２、１３２による走行が可能となる。
【００２０】
制御部１５０は、各ブレーキ装置内蔵モータ１４１及び各ブレーキ装置１４２による前記前輪側及び後輪側移動用車輪１２２、１３２の制動と、各ブレーキ装置内蔵モータ１４１のモータの駆動と、前輪側及び後輪側ジャッキ部１２０、１３０の張り出し動作及び格納動作とを制御するものである。制御部１５０は、コントローラ１５１、移動制御バルブ１５２、後ブレーキ解除バルブ１５３、及びジャッキ制御バルブ１５４を有する。
【００２１】
コントローラ１５１は、移動操作レバー１６１の操作により発生する移動操作信号の入力を受けて制御信号を出力し、移動制御バルブ１５２及び後ブレーキ解除バルブ１５３を制御する。また、コントローラ１５１は、ジャッキ操作スイッチ１６２の操作により発生するジャッキ操作信号の入力を受けて制御信号を出力し、後ブレーキ解除バルブ１５３及びジャッキ制御バルブ１５４を制御する。
【００２２】
移動制御バルブ１５２は、コントローラ１５１からの制御信号を受けて、各ブレーキ装置内蔵モータ１４１による前輪側移動用車輪１２２の制動を解除するとともに、各ブレーキ装置内蔵モータ１４１のモータを駆動して前輪側移動用車輪１２２を回転駆動する。また、移動制御バルブ１５２へのコントローラからの制御信号が停止すると、各ブレーキ装置内蔵モータ１４１のモータの駆動が停止されるとともに、再び各ブレーキ装置内蔵モータ１４１により前輪側移動用車輪１２２が制動される。
【００２３】
後ブレーキ解除バルブ１５３は、コントローラ１５１からの制御信号を受けて、各ブレーキ装置１４２による後輪側移動用車輪１３２の制動を解除する。後ブレーキ解除バルブ１５３へのコントローラ１５１からの制御信号が停止すると、再び各ブレーキ装置により後輪側移動用車輪１３２が制動される。
【００２４】
ジャッキ制御バルブ１５４は、コントローラ１５１からの制御信号を受けて、前輪側及び後輪側ジャッキシリンダ１２１（ａ）、１３１（ａ）を操作して、前輪側及び後輪側アウトリガジャッキ１２１、１３１の張り出し（伸長）及び格納（収縮）を行う。このジャッキ制御バルブ１５４は、前輪側及び後輪側アウトリガジャッキ１２１、１３１を張り出す際は、まず、前輪側ジャッキシリンダ１２１（ａ）を操作して、先に前輪側アウトリガジャッキ１２１を張り出す。そして、前輪側アウトリガジャッキ１２１の張り出しが完了したことが検知されると、後輪側ジャッキシリンダ１３１（ａ）を操作し、後輪側アウトリガジャッキ１３１を張り出す。また、前輪側及び後輪側アウトリガジャッキ１２１、１３１を格納する際は、まず、後輪側ジャッキシリンダ１３１（ａ）を操作して、先に後輪側アウトリガジャッキ１３１を格納する。そして、後輪側アウトリガジャッキ１３１の格納が完了したことが検知されると、前輪側ジャッキシリンダ１２１（ａ）を操作して、前輪側アウトリガジャッキ１２１を格納する。
【００２５】
これらの構成を有することにより、コントローラ１５１の制御信号を移動制御バルブ１５２及び後ブレーキ解除バルブ１５３に出力することで、前輪側及び後輪側移動用車輪１２２、１３２の制動が解除されるとともに、前輪側移動用車輪１２２が駆動される。そのため、前輪側及び後輪側移動用車輪１２２、１３２による走行が可能となる。また、コントローラ１５１の移動制御バルブ１５２及び後ブレーキ解除バルブ１５３への制御信号が停止されることで、前輪側及び後輪側移動用車輪１２２、１３２を制動することができる。
【００２６】
また、これらの構成を有することにより、コントローラ１５１の制御信号を後ブレーキ解除バルブ１５３及びジャッキ制御バルブ１５４に出力することで、前輪側移動用車輪１２２の制動を維持した状態で、後輪側移動用車輪１３２のみ制動が解除されるとともに、前輪側及び後輪側アウトリガジャッキ１２１、１３１が順次張り出され、又は順次格納される。そのため、後輪側アウトリガジャッキ１３１が張り出される際、又は格納される際、後輪側移動用車輪１３２は路面上で回転することができる。
【００２７】
次に、図３〜図７を参照して、本発明の一実施形態である高所作業車１００の動作を説明する。高所作業を行うため、操作者がサブフレーム１１４に設けられたジャッキ操作スイッチ１６２を操作すると、ジャッキ操作信号が発生し、コントローラ１５１に入力される。コントローラ１５１は、ジャッキ操作信号が入力されたのを受けて、後ブレーキ解除バルブ１５３及びジャッキ制御バルブ１５４に制御信号を出力する。これにより、後ブレーキ解除バルブ１５３は、各ブレーキ装置１４２による後輪側移動用車輪１３２の制動を解除する。同時に、ジャッキ制御バルブ１５４は、前輪側ジャッキシリンダ１２１（ａ）を操作して、前輪側アウトリガジャッキ１２１を張り出す（伸長）。そして、移動用車輪１２２を接地させて、車両１１０の前方部分を浮き上がらせる（図３）。この際、前輪側移動用車輪１２２の制動は解除されていないため、前輪側移動用車輪１２２の制動は維持された状態にあり、車両１１０は確実に制動される。
【００２８】
次いで、ジャッキ制御バルブ１５４は、後輪側ジャッキシリンダ１３１（ａ）を操作して、後輪側アウトリガジャッキ１３１を張り出す（伸長）。そして、後輪側移動用車輪１３２を接地させ、車両１１０の後方部分を浮き上がらせる。このとき、後輪側移動用車輪１３２の制動は解除されているため、後輪側移動用車輪１３２は、路面上を回転することができる（図４）。
【００２９】
次いで、後輪側アウトリガジャッキ１３１の張り出しが完了すると、後ブレーキ解除バルブ１５３及びジャッキ制御バルブ１５４への制御信号は停止される。これにより、後輪側移動用車輪１３２は再び制動され、前輪側及び後輪側移動用車輪１２２、１３２のすべてが制動された状態となる（図５）。
【００３０】
次いで、昇降装置１１５を操作して、作業台１１６を所望の高さに位置させる（図６）。これにより、非自走高所作業を行うことができる。この際、仮に前輪側及び後輪側移動用車輪１２２、１３２のうちの一輪が浮いたとしても、残り三輪が制動されているため、車両１１０を確実に制動することができる。
【００３１】
図６の状態で、作業台１１６上の操作者が移動操作レバー１６１を操作すると、移動操作信号が発生し、コントローラ１５１に入力される。コントローラ１５１は、移動制御バルブ１５２及び後ブレーキ解除バルブ１５３に制御信号を出力する。これにより、移動制御バルブ１５２は、各ブレーキ装置内蔵モータ１４１による前輪側移動用車輪１２２の制動を解除するとともに、各ブレーキ装置内蔵モータ１４１のモータを駆動して前輪側移動用車輪１２２を回転駆動させる。同時に、後ブレーキ解除バルブ１５３は、各ブレーキ装置１４２による後輪側移動用車輪１３２の制動を解除する。これにより、前輪側及び後輪側移動用車輪１２２、１３２による走行が可能となり、自走高所作業を行うことができる。
【００３２】
また、操作者による移動操作レバー１６１の操作を停止すると、コントローラ１５１に移動操作信号は入力されず、コントローラ１５１から移動制御バルブ１５２及び後ブレーキ解除バルブ１５３への制御信号は停止する。これにより、各ブレーキ装置内蔵モータ１４１により前輪側移動用車輪１２２が制動されるとともに、各ブレーキ装置１４２により後輪側移動用車輪１３３が制動される。
【００３３】
高所作業を終了する際には、まず、昇降装置１１５をたたみ、作業台１１６を車両１１０上に収める（図５）。
【００３４】
次いで、操作者がジャッキ操作スイッチ１６２を操作すると、ジャッキ操作信号が発生し、コントローラ１５１に入力される。コントローラ１５１は、ジャッキ操作信号が入力されたのを受けて、後ブレーキ解除バルブ１５３及びジャッキ制御バルブ１５４に制御信号を出力する。これにより、後ブレーキ解除バルブ１５３は、各ブレーキ装置１４２による後輪側移動用車輪１３２の制動を解除する。同時に、ジャッキ制御バルブ１５４は、後輪側ジャッキシリンダ１３１（ａ）を操作して、後輪側アウトリガジャッキ１３１を格納し（収縮）、車両１１０の後方部分を沈ませる。このとき、後輪側移動用車輪１３２の制動は解除されているため、後輪側移動用車輪１３２は、路面上を回転することができる（図７）。また、この際、前輪側移動用車輪１２２の制動は解除されていないため、前輪側移動用車輪１２２の制動は維持された状態にあり、車両１１０は確実に制動される。
【００３５】
次いで、後輪側ジャッキシリンダ１３１（ａ）が格納されて車輪１１３（後輪）が接地すると（図３）、ジャッキ制御バルブ１５４は、前輪側ジャッキシリンダ１２１（ａ）を操作して、前輪側アウトリガジャッキ１２１を格納し、車両１１０の前方部分を沈み込ませる。そして、車輪１１３（前輪）を接地させる。
【００３６】
次いで、前輪側アウトリガジャッキ１２１の格納が完了すると、後ブレーキ解除バルブ１５３及びジャッキ制御バルブ１５４への制御信号は停止される。これにより、後輪側移動用車輪１３２は再び制動され、前輪側及び後輪側移動用車輪１２２、１３２のすべてが制動された状態となる。
【００３７】
このように、本発明の一実施形態である高所作業車１００は、制動解除のない限り前輪側及び後輪側移動用車輪１２２、１３２を制動し続けるため、非自走高所作業時には、前輪側及び後輪側移動用車輪１２２、１３２の全てが制動される。また、ジャッキ動作（張り出し動作及び格納動作）の際に、後輪側移動用車輪１３２を制動する各ブレーキ装置１４２による制動を解除して、後輪側移動用車輪１３２を回転自在とすることにより、後輪側移動用車輪１３２が路面上を回転する。その結果、非自走高所作業時における車両１１０の制動を確実にすることができるとともに、ジャッキ動作時の後輪側移動用車輪１３２のタイヤ損傷を防止することができる。
【００３８】
以上に本発明の一実施例である高所作業車１００の構成及び動作を説明した。しかしながら、本発明は、上記実施例に限定されるものではなく、本発明の技術思想を逸脱しない範囲で、多様に変形して実施することができる。
【符号の説明】
【００３９】
１００    高所作業車
１１０    車両
１１１    トラックキャビン
１１２    トラックシャシフレーム
１１３    車輪
１１４    サブフレーム
１１５    昇降装置
１１６    作業台
１２０    前輪側ジャッキ部
１２１    前輪側アウトリガジャッキ
１２１（ａ）    前輪側ジャッキシリンダ
１２２    前輪側移動用車輪
１３０    後輪側ジャッキ部
１３１    後輪側アウトリガジャッキ
１３１（ａ）    後輪側ジャッキシリンダ
１３２    後輪側移動用車輪
１４１    ブレーキ装置内蔵モータ
１４２    ブレーキ装置
１５０    制御部
１５１    コントローラ
１５２    移動制御バルブ
１５３    後ブレーキ解除バルブ
１５４    ジャッキ制御バルブ
１６１    移動操作レバー
１６２    ジャッキ操作スイッチ
【図１】
2015086050.tif 000003
【図２】
2015086050.tif 000004
【図３】
2015086050.tif 000005
【図４】
2015086050.tif 000006
【図５】
2015086050.tif 000007
【図６】
2015086050.tif 000008
【図７】
2015086050.tif 000009
【図８】
2015086050.tif 000010